(57)【要約】【課題】空気調和機の空調性能を落とすことなく、上下風向変更羽根への結露による水滴の滴下を防ぐことができる空気調和機の上下風向変更羽根を提供する。【解決手段】空気調和機本体（図示せず）の送風口（図示せず）に設けられ、風向を上下方向に変更する空気調和機の上下風向変更羽根５において、前記空気調和機本体側の端面に複数の溝３を有するもので、冷房運転時に、上下風向変更羽根５の端面に結露を生じた際、水滴を溝３の部分で保持させ、さらに水滴が溝３方向に広がるため、上下風向変更羽根５の下面に水滴が伝わるまでの耐性を上げることができ、結露および滴下を防ぐために通常行なわれる吹出温度を上げるなどの制御の動作を遅らせたり、温度の上げ幅を少なくしたりすることができ、空気調和機としての冷房性能低下を防ぎ、部屋の温度上昇を防ぐことが可能である。【選択図】図１
2009109098.tif 000002
【特許請求の範囲】
【請求項１】
空気調和機本体の送風口に設けられ、風向を上下方向に変更する空気調和機の上下風向変更羽根において、前記空気調和機本体側の端面に複数の溝を有する空気調和機の上下風向変更羽根。
【発明の詳細な説明】
【技術分野】
【０００１】
本発明は、空気調和機の上下風向変更羽根の構造に関するものである。
【背景技術】
【０００２】
従来の空気調和機の上下風向変更羽根は、図２及び図３に示されるようなものが一般的であった。
【０００３】
図２は、従来の空気調和機の上下風向変更羽根を用いた空気調和機の断面図（天井気流機能を使用しない場合）、図３は、同空気調和機の断面図（天井気流機能を使用する場合）である。
【０００４】
従来の空気調和機の上下風向変更羽根５は、図２に示すように上下風向変更羽根５の片側に結露が生じないようにするため、上下風向変更羽根５の両面に風を流す構造としている。近年、冷房運転時に室内空間の快適性を向上するため、図３に示すように上下風向変更羽根５を、空気調和機の送風口１０の下面に沿うように構成し、冷風を天井に向け送風するようにしている。この場合、冷たい空気が、上下風向変更羽根５の上面にのみ当たり、下面は外気にさらされるので、上下風向変更羽根５の下面に結露などが生じるという問題があり、それを防ぐために、上下風向変更羽根５の上面に断熱材２を貼り付ける構成をとっている。
【０００５】
また、図２に示すような通常気流風向と、図３に示すような天井気流風向を実現させるため、上下風向変更羽根５を大きく動かす必要があり、図３に示すような天井気流風向に設定する際、空気調和機本体７と上下風向変更羽根５との隙間６を０にすることが理想であるが、現実にはいくらかの隙間６が必要である。
【０００６】
冷房運転時、上下風向変更羽根５の下面への結露を防ぐために断熱材２を貼り付けることにより対応は可能であるが、上下風向変更羽根５の端面８に、冷気が直接当たるため断熱材２の効果はなく、端面８に結露が生じることがある。この結露を防ぐために、特に、室内相対湿度の高いときには、吹出空気温度を上げるなどの対策が必要である。かかる先行技術は文献公知発明のものでないため、記載すべき先行技術文献はない。
【発明の開示】
【発明が解決しようとする課題】
【０００７】
しかしながら、吹出空気温度を上げることは、空気調和機の空調性能が悪化し、部屋の冷えが悪化するという課題を有していた。
【０００８】
本発明は、前記従来の課題を解決するもので、空気調和機の空調性能を落とすことなく上下風向変更羽根への結露による水滴の滴下を防ぐことができる空気調和機の上下風向変更羽根を提供することを目的とする。
【課題を解決するための手段】
【０００９】
前記従来の課題を解決するために、本発明の空気調和機の上下風向変更羽根は、空気調和機本体の送風口に設けられ、風向を上下方向に変更する空気調和機の上下風向変更羽根において、前記空気調和機本体側の端面に複数の溝を有するもので、冷房運転時に、上下風向変更羽根の端面に結露を生じた際、水滴を溝の部分で保持させ、さらに水滴が溝方向に広がるため、上下風向変更羽根の下面に水滴が伝わるまでの耐性を上げることができ、結露および滴下を防ぐために通常行なわれる吹出温度を上げるなどの制御の動作を遅らせ
たり、温度の上げ幅を少なくしたりすることができ、空気調和機としての冷房性能低下を防ぎ、部屋の温度上昇を防ぐことが可能である。
【発明の効果】
【００１０】
本発明の空気調和機の上下風向変更羽根は、端面に溝を施すことにより、冷房運転時上下風向変更羽根の端面の結露に対する耐性を上げることができ、空気調和機の冷房性能悪化を防ぐことができる。
【発明を実施するための最良の形態】
【００１１】
第１の発明は、空気調和機本体の送風口に設けられ、風向を上下方向に変更する空気調和機の上下風向変更羽根において、前記空気調和機本体側の端面に複数の溝を有するもので、冷房運転時に、上下風向変更羽根の端面に結露を生じた際、水滴を溝の部分で保持させ、さらに水滴が溝方向に広がるため、上下風向変更羽根の下面に水滴が伝わるまでの耐性を上げることができ、結露および滴下を防ぐために通常行なわれる吹出温度を上げるなどの制御の動作を遅らせたり、温度の上げ幅を少なくしたりすることができ、空気調和機としての冷房性能低下を防ぎ、部屋の温度上昇を防ぐことが可能である。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の上下風向変更羽根の断面図を示すものである。
【００１４】
本実施の形態における空気調和機の上下風向変更羽根５は、図１に示すように、上下風向変更羽根外側１と、上下風向変更羽根外側１の上面に貼着された断熱材２の２枚から構成され、端面８には、ローレット加工などで複数の溝３が形成されている。
【００１５】
冷房運転時、上下風向変更羽根外側１には、断熱材２の効果により結露が生じることはないが、風向を天井に向けるため、上下風向変更羽根５を、図３に示すような位置にした場合、空気調和機本体７と上下風向変更羽根５の間に隙間６が生じる。その際、冷風が直接上下風向変更羽根５の端面８に当たるため、端面８に結露が生じることがあるが、本実施の形態では、端面８に、複数の溝３があるので、端面８に付いた水滴が上下風向変更羽根５の下面に伝って落ちる前に、その水滴が溝３に留まり、さらに水滴が溝３に沿って左右方向に広がることにより、水滴の滴下に対する耐性を上げることができる。
【００１６】
水滴に対する耐性が低い場合は、水滴の滴下を防ぐために吹出温度を上げるなどの対策が必要となるが、本実施の形態によれば、水滴に対する耐性が高いので、吹出温度を下げることができ、空気調和機としての能力低下を防ぐことができる。
【産業上の利用可能性】
【００１７】
以上のように、本発明にかかる空気調和機の上下風向変更羽根は、冷房運転時の結露に強いため、特に室内相対湿度が高いときの冷房能力低下を防ぐことができる。また、上下風向変更羽根に限らず、空気調和機室内機の結露が生じるあらゆる箇所に、本発明の適用が可能である。
【図面の簡単な説明】
【００１８】
【図１】本発明の実施の形態１における空気調和機の上下風向変更羽根の断面図
【図２】従来の空気調和機の上下風向変更羽根を用いた空気調和機の断面図（天井気流機能を使用しない場合）
【図３】同空気調和機の断面図（天井気流機能を使用する場合）
【符号の説明】
【００１９】
１  上下風向変更羽根外側
２  断熱材
３  溝
５  上下風向変更羽根
６  隙間
７  空気調和機本体
８  端面
【図１】
2009109098.tif 000003
【図２】
2009109098.tif 000004
【図３】
2009109098.tif 000005